【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
内部に液体を収納可能な液体収納容器であって、
前記液体収納容器の外壁は、第１の面と、前記第１の面に隣接し互いに対向する第２の面及び第３の面を有し、
前記第１の面には、前記液体収納容器に関する情報を記憶する記憶素子を収納する空間があり、前記第１の面及び前記第２の面には、前記第１の面と前記第２の面との境界を跨ぐ第１の凹部があり、前記第１の面及び前記第３の面には、前記第１の面と前記第３の面との境界を跨ぐ第２の凹部があり、
前記第１の凹部及び前記第２の凹部は、前記空間を挟んで対向することを特徴とする液体収納容器。
【請求項２】
前記液体収納容器は、液体を吐出する液体吐出装置に装着され、内部に収納された液体を前記液体吐出装置に供給する供給口を有する請求項１に記載の液体収納容器。
【請求項３】
前記供給口は、前記第１の面にある請求項２に記載の液体収納容器。
【請求項４】
前記第１の面と、前記第１の面、前記第２の面及び前記第３の面に隣接する第４の面とには、前記第１の面と前記第４の面との境界を跨ぐ第３の凹部がある請求項３に記載の液体収納容器。
【請求項５】
前記第３の凹部は複数存在する請求項４に記載の液体収納容器。
【請求項６】
前記第４の面は、前記液体収納容器を前記液体吐出装置に装着する装着方向に対して平行に延在する面である請求項４または５に記載の液体収納容器。
【請求項７】
前記第２の面及び前記第３の面は、前記液体収納容器を前記液体吐出装置に装着する装着方向に対して平行に延在する面である請求項２乃至６のいずれかに記載の液体収納容器。
【請求項８】
前記第１の凹部または前記第２の凹部の内部には梁がある請求項１乃至７のいずれか１項に記載の液体収納容器。
【請求項９】
前記梁は、前記第１の面と前記第２の面との境界または前記第１の面と前記第３の面との境界に対して垂直に延在している請求項８に記載の液体収納容器。
【請求項１０】
前記梁は、前記第１の面と前記第２の面との境界または前記第１の面と前記第３の面との境界に対して平行に延在している請求項８に記載の液体収納容器。
【請求項１１】
前記梁は、前記第１の面と前記第２の面との境界または前記第１の面と前記第３の面との境界に対して垂直に延在している梁と、前記第１の面と前記第２の面との境界または前記第１の面と前記第３の面との境界に対して平行に延在している梁とがある請求項８に記載の液体収納容器。
【請求項１２】
前記梁は前記液体収納容器の種類に応じて一部が除去されている請求項８乃至１０のいずれかに記載の液体収納容器。
【請求項１３】
前記記憶素子は前記液体収納容器に対して相対的に移動可能に配置されている請求項１乃至１２のいずれかに記載の液体収納容器。
【請求項１４】
前記第１の凹部は、前記第１の面と前記第２の面との稜線を跨ぎ、前記第２の凹部は、前記第１の面と前記第３の面との稜線を跨いでいる請求項１乃至１３のいずれか１項に記載の液体収納容器。
【請求項１５】
内部に液体を収納可能な液体収納容器であって、
前記液体収納容器の外壁は、第１の面と、前記第１の面に交差する面に平行な互いに対向する第２の面及び第３の面と、前記第１の面と対向する面を有し、
前記液体収納容器に関する情報を記憶する記憶素子が取り付けられた領域と、
前記第１の面から前記第１の面と対向する前記面に向かう方向に、くぼんだ第１の凹部と第２の凹部とを有し、
前記第１の凹部は前記第２の面に開放され、
前記第２の凹部は前記第３の面に開放され、
前記記憶素子が取り付けられた前記領域は、前記第１の面側からみて前記第１の凹部と前記第２の凹部によって挟まれていることを特徴とする液体収納容器。
【請求項１６】
前記第１の凹部は、前記第１の面側からみて前記第２の面と交差する面に平行な、互いに対向する壁によって画定され、
前記第２の凹部は、前記第１の面側からみて前記第３の面と交差する面に平行な、互いに対向する壁によって画定されている請求項１５に記載の液体収納容器。
【請求項１７】
前記第１の面側からみて前記第２の面に平行な方向において、前記第１の凹部の幅は、前記記憶素子が取り付けられた前記領域の幅に対し±５０％以内であり、
前記第１の面側からみて前記第３の面に平行な方向において、前記第２の凹部の幅は、前記記憶素子が取り付けられた前記領域の幅に対し±５０％以内である請求項１５又は１６に記載の液体収納容器。
【請求項１８】
前記記憶素子は、前記第１の面から前記第１の面と対向する前記面に向かう方向に、くぼんだ空間の一部に取り付けられ、前記第１の凹部及び前記第２の凹部は、前記空間を挟んで対向する請求項１５乃至１７のいずれか１項に記載の液体収納容器。
【請求項１９】
前記第２の面及び前記第３の面はともに前記第１の面に垂直である請求項１５乃至１８のいずれか１項に記載の液体収納容器。
【請求項２０】
前記液体収納容器は、液体を吐出する液体吐出装置に装着され、内部に収納された液体を前記液体吐出装置に供給する供給口を有する請求項１５乃至１９のいずれか１項に記載の液体収納容器。
【請求項２１】
前記第１の面は、前記液体収納容器を前記液体吐出装置に装着した状態における上面である請求項２０に記載の液体収納容器。
【請求項２２】
前記第２の面及び前記第３の面は、前記液体収納容器を前記液体吐出装置に装着する装着方向に対して平行に延在する面である請求項２０又は２１に記載の液体収納容器。
【請求項２３】
内部に液体を収納可能な液体収納容器であって、
前記液体収納容器の外壁は、第１の面と、前記第１の面に交差する面に平行な互いに対向する第２の面及び第３の面と、前記第１の面と対向する面を有し、
前記液体収納容器に関する情報を記憶する記憶素子が取り付けられた領域と、
前記第１の面から前記第１の面と対向する前記面に向かう方向に、くぼんだ第１の凹部と第２の凹部とを有し、
前記第１の凹部は前記第２の面に開放され、
前記第２の凹部は前記第３の面に開放され、
前記第２の面側からみて、前記第１の凹部を通して、前記記憶素子が取り付けられた前記領域の一部を画定し前記第２の面に沿う壁が見え、
前記第３の面側からみて、前記第２の凹部を通して、前記記憶素子が取り付けられた前記領域の一部を画定し前記第３の面に沿う壁が見えることを特徴とする液体収納容器。
【請求項２４】
前記第１の凹部は、前記第１の面側からみて前記第２の面と交差する面に平行な、互いに対向する壁によって画定され、
前記第２の凹部は、前記第１の面側からみて前記第３の面と交差する面に平行な、互いに対向する壁によって画定されている請求項２３に記載の液体収納容器。
【請求項２５】
前記第１の面側からみて前記第２の面に平行な方向において、前記第１の凹部の幅は、前記記憶素子が取り付けられた前記領域の幅に対し±５０％以内であり、
前記第１の面側からみて前記第３の面に平行な方向において、前記第２の凹部の幅は、前記記憶素子が取り付けられた前記領域の幅に対し±５０％以内である請求項２３又は２４に記載の液体収納容器。
【請求項２６】
前記記憶素子は、前記第１の面から前記第１の面と対向する前記面に向かう方向に、くぼんだ空間の一部に取り付けられ、前記第１の凹部及び前記第２の凹部は、前記空間を挟んで対向する請求項２３乃至２５のいずれか１項に記載の液体収納容器。
【請求項２７】
前記第２の面及び前記第３の面はともに前記第１の面に垂直である請求項２３乃至２６のいずれか１項に記載の液体収納容器。
【請求項２８】
前記液体収納容器は、液体を吐出する液体吐出装置に装着され、内部に収納された液体を前記液体吐出装置に供給する供給口を有する請求項２３乃至２７のいずれか１項に記載の液体収納容器。
【請求項２９】
前記第１の面は、前記液体収納容器を前記液体吐出装置に装着した状態における上面である請求項２８に記載の液体収納容器。
【請求項３０】
前記第２の面及び前記第３の面は、前記液体収納容器を前記液体吐出装置に装着する装着方向に対して平行に延在する面である請求項２８又は２９に記載の液体収納容器。
【請求項３１】
請求項１乃至３０のいずれかに記載の液体収納容器が装着された液体吐出装置。
【手続補正２】
【補正対象書類名】明細書
【補正対象項目名】０００８
【補正方法】変更
【補正の内容】
【０００８】
本発明は、内部に液体を収納可能な液体収納容器であって、前記液体収納容器の外壁は、第１の面と、前記第１の面に隣接し互いに対向する第２の面及び第３の面を有し、前記第１の面には、前記液体収納容器に関する情報を記憶する記憶素子を収納する空間があり、前記第１の面及び前記第２の面には、前記第１の面と前記第２の面との境界を跨ぐ第１の凹部があり、前記第１の面及び前記第３の面には、前記第１の面と前記第３の面との境界を跨ぐ第２の凹部があり、前記第１の凹部及び前記第２の凹部は、前記空間を挟んで対向することを特徴とする。
また、本発明は、内部に液体を収納可能な液体収納容器であって、前記液体収納容器の外壁は、第１の面と、前記第１の面に交差する面に平行な互いに対向する第２の面及び第３の面と、前記第１の面と対向する面を有し、前記液体収納容器に関する情報を記憶する記憶素子が取り付けられた領域と、前記第１の面から前記第１の面と対向する前記面に向かう方向に、くぼんだ第１の凹部と第２の凹部とを有し、前記第１の凹部は前記第２の面に開放され、前記第２の凹部は前記第３の面に開放され、前記記憶素子が取り付けられた前記領域は、前記第１の面側からみて前記第１の凹部と前記第２の凹部によって挟まれていることを特徴とする。
また、本発明は、内部に液体を収納可能な液体収納容器であって、前記液体収納容器の外壁は、第１の面と、前記第１の面に交差する面に平行な互いに対向する第２の面及び第３の面と、前記第１の面と対向する面を有し、前記液体収納容器に関する情報を記憶する記憶素子が取り付けられた領域と、前記第１の面から前記第１の面と対向する前記面に向かう方向に、くぼんだ第１の凹部と第２の凹部とを有し、前記第１の凹部は前記第２の面に開放され、前記第２の凹部は前記第３の面に開放され、前記第２の面側からみて、前記第１の凹部を通して、前記記憶素子が取り付けられた前記領域の一部を画定し前記第２の面に沿う壁が見え、前記第３の面側からみて、前記第２の凹部を通して、前記記憶素子が取り付けられた前記領域の一部を画定し前記第３の面に沿う壁が見えることを特徴とする。
さらに本発明は、上記液体収納容器が装着された液体吐出装置である。
【手続補正３】
【補正対象書類名】明細書
【補正対象項目名】００３７
【補正方法】変更
【補正の内容】
【００３７】
図４は、図３におけるＩＶ−ＩＶ線に沿う概略的な断面図である。カバー５０における記憶素子収納領域５２の形成された側（図３に示される＋Ｙ方向側）の端部を、カバー端面５０３とする。カバー端面５０３には、識別手段（以下メカＩＤと称する）５３が設けられている。メカＩＤ５３は、液体収納容器１の誤装着を防ぐために、液体収納容器の種類ごとに異なった構成となるように設けられている。特定の種類の液体収納容器が適切でない位置に装着された場合には、メカＩＤ５３と液体吐出装置１００の本体側の構成とが干渉し、その液体収納容器が液体吐出装置１００の本体に装着できないようになっている。このように、任意の液体収納容器に対し、それぞれの液体収納容器の種類に対応した適切な位置に配置されないと、その液体収納容器を適切な位置に配置することができない。すなわち、メカＩＤ５３が、液体収納容器の種類を識別する識別手段として機能している。メカＩＤ５３は、複数の突起５３２ａ、５３２ｂ、５３２ｃ、５３２ｄ，５３２ｅと、突起５３２ａ、５３２ｂ、５３２ｃ、５３２ｄ、５３２ｅ間をつなぐ複数の梁５３１ａ、５３１ｂ、５３１ｃ、５３１ｄ、５３１ｅ、５３１ｆとを備えて構成されている。
【手続補正４】
【補正対象書類名】明細書
【補正対象項目名】００３８
【補正方法】変更
【補正の内容】
【００３８】
メカＩＤ５３は、それぞれの種類の液体収納容器ごとに定められたメカＩＤ５３の形状となるように、液体収納容器の種類ごとに異なった形状に形成される。ここでは、上記のように構成されたメカＩＤから、液体収納容器の種類ごとに定められた部分が除去されることにより、液体収納容器の種類ごとに定められた形状となるように、メカＩＤ５３が形成される。具体的には、液体収納容器の種類ごとに、除去される梁５３１が選択される。また、液体吐出装置側では、除去された梁５３１に対応した位置に突起が設けられている。こうすることで、液体収納容器の種類ごとに、液体収納容器側のメカＩＤ５３及び液体吐出装置側の突起の形状が変化し、それぞれの液体収納容器が誤装着防止機能を有することになる。
【手続補正５】
【補正対象書類名】明細書
【補正対象項目名】００５１
【補正方法】変更
【補正の内容】
【００５１】
さらに、第３の凹部５３４における内側の側面としての内側面５０４は、カバー５０の端面５０３近傍の強度を確保するために、第１の凹部５１０及び第２の凹部５２０から２ｍｍ以上、カバー５０におけるＹ方向の外側に位置していることが好ましい。即ち、第１の凹部５１０及び第２の凹部５２０におけるＹ方向の端部の位置と、第３の凹部５３４における内側の内側面５０４との間の距離ｌ１が２ｍｍ以上あることが好ましい。
【手続補正６】
【補正対象書類名】明細書
【補正対象項目名】００５９
【補正方法】変更
【補正の内容】
【００５９】
梁５１１、５２１に、外力７０１ａ、７０１ｂ及び反力７０２ａ、７０２ｂが作用することにより、梁５１１、５１２が圧縮される方向に、Ｚ方向に沿って力を受ける。このとき、カバー５０ａにおける第１の凹部５１０及び第２の凹部５２０の内部に梁７１１、７２１が形成されているので、カバー５０に作用する外力が梁５１１、５２１に作用する力と梁７１１、７２１に作用する力とに分散される。従って、梁５１１、５２１に作用する外力が小さくなるので、梁５１１、５２１が変形することを抑制することが可能になる。
【手続補正７】
【補正対象書類名】明細書
【補正対象項目名】００６６
【補正方法】変更
【補正の内容】
【００６６】
図１２に、第３実施形態に、カバー５０ｂにおける記憶素子収納領域５２近傍の一部について、Ｚ方向の上方から見た概略的な平面図を示す。図１２に示されるように、梁７１２、７２２は、それぞれ梁５１１、５２１の側面から離間して配置されている。本実施形態では、Ｘ方向に関して、梁７１２、７２２の側面の位置がカバー５０ｂにおける側面５０１、５０２の位置と同じ位置となるように、梁７１２、７２２が配置されている。このように梁７１２、７２２が第１の凹部５１０及び第２の凹部５２０の内部に配置されているので、カバー５０の側面５０１、５０２側から梁７１２、７２２に外力が加わったとしても、記憶素子収納領域５２に直接衝撃が加わることを抑制することができる。
【手続補正８】
【補正対象書類名】明細書
【補正対象項目名】００６７
【補正方法】変更
【補正の内容】
【００６７】
図１３に、第２の凹部５２０の内部に梁７１２、７２２を設けた際に、カバー５０ｂにおける角部５０３ａに外力が加わったときの記憶素子収納領域５２近傍についての平面図を示す。図１３に示されるように、カバー５０ｂの角部５０３ａに外力８０１が加わったとしても、第２の凹部５２０に梁７２２が設けられているので、梁７２２が第２の凹部５２０の側壁５２３、５２４を支持する。従って、側壁５２３、５２４の変形を抑えることができ、そのことによる角部５０３ａの変形を抑制することができる。そのため、メカＩＤ５３の梁５３１ａの位置がずれることを抑制することができ、メカＩＤ５３による液体収納容器の識別手段としての精度を維持することができる。結果的に、液体収納容器の誤装着を抑制することができる。
【手続補正９】
【補正対象書類名】明細書
【補正対象項目名】００７９
【補正方法】変更
【補正の内容】
【００７９】
（第５実施形態）
次に、本発明の第５実施形態に係る液体収納容器１ｄについて説明する。図２０Ａおよび２０Ｂに、第５実施形態に係る液体収納容器１ｄの斜視図および分解斜視図を示す。図２０Ａおよび２０Ｂに示されるように、液体収納容器１ｄは、記憶素子ユニット６０を、記憶素子ユニット収納構造８０に組み付けた記憶素子ユニット結合９０として、カバー７０によって液体収納容器１ｄに組み付ける構成となっている。カバー７０は、記憶素子ユニット結合９０を収納する記憶素子ユニット結合収納領域７２を有する。記憶素子ユニット結合９０と、記憶素子ユニット結合収納領域７２との間に、クリアランス７００が設けられている。記憶素子ユニット結合収納領域７２との間にクリアランス７００が設けられた状態で、記憶素子ユニット結合９０が、記憶素子ユニット結合収納領域７１の内部に取り付けられている。